(57)【要約】【課題】多チャンネル化に伴う番組選択の煩わしさを解消し、番組の見逃しを防止することができる番組表示装置を提供する。【解決手段】検索キーワード、または番組を視聴するユーザのプロフィール情報を取得する取得部１０１と、取得部１０１が取得した検索キーワードまたはプロフィール情報に基づいて、電子番組表から番組を検索する検索部１０３と、検索部１０３が検索した番組を、当該番組の放送時間に画面に表示する表示制御部１０６とを備える。【選択図】図２
2014212442.tif 000002
【特許請求の範囲】
【請求項１】
検索キーワード、または番組を視聴するユーザのプロフィール情報を取得する取得部と、
前記取得部が取得した前記検索キーワードまたは前記プロフィール情報に基づいて、電子番組表から番組を検索する検索部と、
前記検索部が検索した番組を、当該番組の放送時間に画面に表示する表示制御部と
を備える番組表示装置。
【請求項２】
さらに、
前記番組表示装置の前または前記番組表示装置が設置されている室内に前記ユーザがいるか否かを判断する判断部と、
前記判断部が前記ユーザがいると判断し、かつ、前記表示制御部による前記番組の放送時間に前記番組表示装置の電源がオフ状態にある場合に、前記番組表示装置の電源をオン状態に変更する電源制御部とを備える
請求項１に記載の番組表示装置。
【請求項３】
前記判断部は、前記番組表示装置の前または前記番組表示装置が設置されている室内に、覚醒している前記ユーザがいるか否かを判断し、
前記電源制御部は、前記判断部が覚醒している前記ユーザがいると判断し、かつ、前記表示制御部による前記番組の放送時間に前記番組表示装置の電源がオフ状態にある場合に、前記番組表示装置の電源をオン状態に変更する
請求項２記載の番組表示装置。
【請求項４】
さらに、
前記検索部が検索した番組のうち、放送開始時刻が重複する複数の番組がある場合には、当該放送開始時刻よりも前に当該複数の番組のリストを前記画面に表示するリスト表示制御部と、
前記ユーザが選択した前記リスト中の番組の識別情報を受け付ける受付部とを備え、
前記表示制御部は、前記受付部が受け付けた識別情報が示す、前記ユーザが選択した番組を、当該番組の放送時間に前記画面に表示する
請求項１〜３のいずれか１項に記載の番組表示装置。
【請求項５】
前記取得部は、優先順位が付された前記検索キーワードを取得し、
前記検索部は、電子番組表から前記取得部が取得した前記検索キーワードに合致する番組情報を有する番組を検索し、
前記リスト表示制御部は、放送開始時刻が重複する前記複数の番組を当該番組の検索の元となった前記検索キーワードの優先順位に従って並べ替え、並べ替えられた前記複数の番組のリストを前記画面に表示する
請求項４に記載の番組表示装置。
【請求項６】
前記表示制御部は、前記リストに含まれる前記複数の番組の前記放送開始時刻までに前記ユーザにより番組が選択されなかった場合には、前記複数の番組のうち最も優先順位が高い番組を、当該番組の放送時間に前記画面に表示する
請求項５に記載の番組表示装置。
【請求項７】
前記取得部は、前記ユーザの性別又は年齢の情報を前記プロフィール情報として取得し、
前記検索部は、視聴率サーバが提供する番組毎の視聴率を示す視聴率情報から、前記プロフィール情報で示される前記性別又は前記年齢の視聴者の視聴率が最上位の番組から予め定められた個数の番組を検索する
請求項１に記載の番組表示装置。
【請求項８】
さらに、
前記検索部が検索した番組のうち、放送開始時刻が重複する複数の番組がある場合には、当該放送開始時刻よりも前に当該複数の番組のリストを前記画面に表示するリスト表示制御部と、
前記ユーザが選択した前記リスト中の番組の識別情報を受け付ける受付部とを備え、
前記表示制御部は、前記受付部が受け付けた識別情報が示す、前記ユーザが選択した番組を、当該番組の放送時間に前記画面に表示する
請求項７に記載の番組表示装置。
【請求項９】
前記リスト表示制御部は、放送開始時刻が重複する前記複数の番組を当該番組の視聴率に従って並べ替え、並べ替えられた前記複数の番組のリストを前記画面に表示する
請求項８に記載の番組表示装置。
【請求項１０】
前記ユーザは複数であり、
前記取得部は、ユーザ毎に、当該ユーザの性別又は年齢の情報を前記プロフィール情報として取得し、
前記検索部は、ユーザ毎に、前記視聴率サーバが提供する前記視聴率情報から、前記プロフィール情報で示される前記性別又は前記年齢の視聴者の視聴率が最上位の番組から予め定められた個数の番組を検索し、
前記番組表示装置は、さらに、
現在表示されている番組のジャンルに基づいて、当該番組を視聴しているユーザを識別する識別部を備え、
前記リスト表示制御部は、前記識別部が識別した前記ユーザに対応するリストを優先して前記画面に表示する
請求項９に記載の番組表示装置。
【請求項１１】
前記ユーザは複数であり、
前記番組表示装置は、さらに、
前記番組表示装置の前または前記番組表示装置が設置されている室内に前記ユーザがいるか否かを判断する判断部と、
前記判断部により前記ユーザがいると判断された場合に、当該ユーザを識別する識別部と、
前記判断部が前記ユーザがいると判断し、かつ、前記識別部が識別した前記ユーザの前記プロフィール情報に基づいて検索された前記番組の放送時間に前記番組表示装置の電源がオフ状態にある場合に、前記番組表示装置の電源をオン状態に変更する電源制御部とを備える
請求項７に記載の番組表示装置。
【請求項１２】
番組表示装置が実行する番組表示方法であって、
検索キーワード、または番組を視聴するユーザのプロフィール情報を取得する取得ステップと、
前記取得ステップにおいて取得された前記検索キーワードまたは前記プロフィール情報に基づいて、電子番組表から番組を検索する検索ステップと、
前記検索ステップにおいて検索された番組を、当該番組の放送時間に画面に表示する表示制御ステップと
を含む番組表示方法。
【発明の詳細な説明】
【技術分野】
【０００１】
本発明は、テレビ局が放送する番組を表示する番組表示装置及び番組表示方法に関する。
【背景技術】
【０００２】
近年、テレビ放送の多チャンネル化に伴い、放送される番組数が多くなっている。このため、ユーザが所望の番組を探すのが困難になっている。このような状況に鑑み、従来、ユーザが入力したキーワードに合致する番組を電子番組表（ＥＰＧ）から抽出し、視聴推薦番組としてユーザに提示する装置が提案されている（たとえば、特許文献１参照）。
【先行技術文献】
【特許文献】
【０００３】
【特許文献１】特開２００９−２３９７３５号公報
【発明の概要】
【発明が解決しようとする課題】
【０００４】
しかしながら、従来の装置では、視聴推薦番組の提示を行うだけであるため、ユーザがその番組の放送時間にその番組を見るためには、予め視聴予約をしなければならず、操作性が悪いという課題がある。また、視聴予約を行わなかった場合には、その番組を見逃してしまうという課題もある。
【０００５】
本発明は、上述の課題を解決するためになされたものであり、多チャンネル化に伴う番組選択の煩わしさを解消し、番組の見逃しを防止することができる番組表示装置及び番組表示方法を提供することを目的とする。
【課題を解決するための手段】
【０００６】
上記目的を達成するために、本発明の一態様に係る番組表示装置は、検索キーワード、または番組を視聴するユーザのプロフィール情報を取得する取得部と、前記取得部が取得した前記検索キーワードまたは前記プロフィール情報に基づいて、電子番組表から番組を検索する検索部と、前記検索部が検索した番組を、当該番組の放送時間に画面に表示する表示制御部とを備える。
【０００７】
これによると、検索キーワードまたはユーザのプロフィール情報に基づいて検索された番組が、その放送時間に自動的に画面に表示される。このように、ユーザは番組を選択する必要が無いため、番組選択の煩わしさを解消し、番組の見逃しを防止することができる。
【０００８】
例えば、上述の番組表示装置は、さらに、前記番組表示装置の前または前記番組表示装置が設置されている室内に前記ユーザがいるか否かを判断する判断部と、前記判断部が前記ユーザがいると判断し、かつ、前記表示制御部による前記番組の放送時間に前記番組表示装置の電源がオフ状態にある場合に、前記番組表示装置の電源をオン状態に変更する電源制御部とを備えても良い。
【０００９】
これによると、ユーザが番組表示装置の前または室内にいる場合にのみ、番組表示装置の電源が自動的にオンされ、番組が表示される。このため、ユーザは番組表示装置の電源をオンする操作を行なう必要が無いため、番組選択の煩わしさを解消し、番組の見逃しを防止することができる。また、ユーザが番組表示装置の前または室内にいない場合には、検索部が検索した番組の放送時間であったとしても、番組表示装置の電源はオンしない。このため、不必要に番組表示装置の電源がオンされること無く、無駄な電力を削減することができる。
【００１０】
また、前記判断部は、前記番組表示装置の前または前記番組表示装置が設置されている室内に、覚醒している前記ユーザがいるか否かを判断し、前記電源制御部は、前記判断部が覚醒している前記ユーザがいると判断し、かつ、前記表示制御部による前記番組の放送時間に前記番組表示装置の電源がオフ状態にある場合に、前記番組表示装置の電源をオン状態に変更しても良い。
【００１１】
これによると、ユーザが番組表示装置の前または室内にいたとしても、ユーザが睡眠している場合には、検索部が検索した番組の放送時間であったとしても、番組表示装置の電源はオンされない。このため、不必要に番組表示装置の電源がオンされること無く、無駄な電力を削減することができる。
【００１２】
また、上述の番組表示装置は、さらに、前記検索部が検索した番組のうち、放送開始時刻が重複する複数の番組がある場合には、当該放送開始時刻よりも前に当該複数の番組のリストを前記画面に表示するリスト表示制御部と、前記ユーザが選択した前記リスト中の番組の識別情報を受け付ける受付部とを備え、前記表示制御部は、前記受付部が受け付けた識別情報が示す、前記ユーザが選択した番組を、当該番組の放送時間に前記画面に表示しても良い。
【００１３】
これによると、検索部が検索した番組の放送開始時刻が重複していた場合には、重複した番組をリストとしてユーザに提示し、ユーザに番組を選択させることができる。
【００１４】
また、前記取得部は、優先順位が付された前記検索キーワードを取得し、前記検索部は、電子番組表から前記取得部が取得した前記検索キーワードに合致する番組情報を有する番組を検索し、前記リスト表示制御部は、放送開始時刻が重複する前記複数の番組を当該番組の検索の元となった前記検索キーワードの優先順位に従って並べ替え、並べ替えられた前記複数の番組のリストを前記画面に表示しても良い。
【００１５】
これによると、検索キーワードの優先順位に従い、放送開始時刻が重複した番組の並べ替えが行われる。このため、番組に優劣をつけることができ、ユーザは、番組を選択しやすくなる。
【００１６】
また、前記表示制御部は、前記リストに含まれる前記複数の番組の前記放送開始時刻までに前記ユーザにより番組が選択されなかった場合には、前記複数の番組のうち最も優先順位が高い番組を、当該番組の放送時間に前記画面に表示しても良い。
【００１７】
これによると、ユーザが番組を選択しなかった場合には、最もユーザの関心が高いであろう番組が自動表示される。
【００１８】
また、前記取得部は、前記ユーザの性別又は年齢の情報を前記プロフィール情報として取得し、前記検索部は、視聴率サーバが提供する番組毎の視聴率を示す視聴率情報から、前記プロフィール情報で示される前記性別又は前記年齢の視聴者の視聴率が最上位の番組から予め定められた個数の番組を検索しても良い。
【００１９】
これによると、ユーザの世代でよく見られている番組を自動的に表示することができるため、番組選択の煩わしさを解消し、視聴率の高い番組の見逃しを防止することができる。
【００２０】
また、上述の番組表示装置は、さらに、前記検索部が検索した番組のうち、放送開始時刻が重複する複数の番組がある場合には、当該放送開始時刻よりも前に当該複数の番組のリストを前記画面に表示するリスト表示制御部と、前記ユーザが選択した前記リスト中の番組の識別情報を受け付ける受付部とを備え、前記表示制御部は、前記受付部が受け付けた識別情報が示す、前記ユーザが選択した番組を、当該番組の放送時間に前記画面に表示しても良い。
【００２１】
これによると、検索部が検索した番組の放送開始時刻が重複していた場合には、重複した番組をリストとしてユーザに提示し、ユーザに番組を選択させることができる。
【００２２】
また、前記リスト表示制御部は、放送開始時刻が重複する前記複数の番組を当該番組の視聴率に従って並べ替え、並べ替えられた前記複数の番組のリストを前記画面に表示しても良い。
【００２３】
これによると、視聴率に従い、放送開始時刻が重複した番組の並べ替えが行われる。このため、番組に優劣をつけることができ、ユーザは、番組を選択しやすくなる。
【００２４】
また、前記ユーザは複数であり、前記取得部は、ユーザ毎に、当該ユーザの性別又は年齢の情報を前記プロフィール情報として取得し、前記検索部は、ユーザ毎に、前記視聴率サーバが提供する前記視聴率情報から、前記プロフィール情報で示される前記性別又は前記年齢の視聴者の視聴率が最上位の番組から予め定められた個数の番組を検索し、前記番組表示装置は、さらに、現在表示されている番組のジャンルに基づいて、当該番組を視聴しているユーザを識別する識別部を備え、前記リスト表示制御部は、前記識別部が識別した前記ユーザに対応するリストを優先して前記画面に表示しても良い。
【００２５】
たとえば、現在表示されている番組のジャンルが子供向け番組であった場合には、現在、番組表示装置の前にいるユーザは子供であると考えられる。これによると、このような場合に、子供向けのリストが優先的に画面に表示される。このため、ユーザが所望する番組のリストを画面に表示することができる。
【００２６】
また、前記ユーザは複数であり、前記番組表示装置は、さらに、前記番組表示装置の前または前記番組表示装置が設置されている室内に前記ユーザがいるか否かを判断する判断部と、前記判断部により前記ユーザがいると判断された場合に、当該ユーザを識別する識別部と、前記判断部が前記ユーザがいると判断し、かつ、前記識別部が識別した前記ユーザの前記プロフィール情報に基づいて検索された前記番組の放送時間に前記番組表示装置の電源がオフ状態にある場合に、前記番組表示装置の電源をオン状態に変更する電源制御部とを備えていても良い。
【００２７】
これによると、番組表示装置の前または室内にいるユーザのプロフィール情報に合致した番組の放送時間である場合にのみ、番組表示装置の電源がオンされ、その番組が表示される。このため、不必要に番組表示装置の電源がオンされること無く、無駄な電力を削減することができる。
【００２８】
なお、本発明は、このような特徴的な処理部を備える番組表示装置として実現することができるだけでなく、番組表示装置に含まれる特徴的な処理部が実行する処理をステップとする番組表示方法として実現することができる。また、番組表示装置に含まれる特徴的な処理部としてコンピュータを機能させるためのプログラムまたは番組表示方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２９】
本発明によると、多チャンネル化に伴う番組選択の煩わしさを解消し、番組の見逃しを防止することができる番組表示装置を提供することができる。
【図面の簡単な説明】
【００３０】
【図１】実施の形態１に係る番組表示装置の外観斜視図である。
【図２】番組表示装置の機能的な構成を示すブロック図である。
【図３】番組表示装置が実行する処理のフローチャートである。
【図４】検索キーワードの一種であるキーワードの入力画面の一例を示す図である。
【図５】検索キーワードの一種である番組のジャンルの入力画面の一例を示す図である。
【図６】検索キーワードの一種である番組名の入力画面の一例を示す図である。
【図７】視聴予約情報の一例を示す図である。
【図８】表示部の画面に表示される注意メッセージの一例を示す図である。
【図９】実施の形態２に係る番組表示装置の機能的な構成を示すブロック図である。
【図１０】番組表示装置が実行する処理のフローチャートである。
【図１１】リストの一例を示す図である。
【図１２】表示部の画面に表示される番組のリストの一例を示す図である。
【図１３】実施の形態３に係る番組表示装置の機能的な構成を示すブロック図である。
【図１４】番組表示装置が実行する処理のフローチャートである。
【図１５】プロフィール情報の入力画面の一例を示す図である。
【図１６】実施の形態３の変形例に係る番組表示装置の機能的な構成を示すブロック図である。
【発明を実施するための形態】
【００３１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３２】
（実施の形態１）
実施の形態１では、ユーザが登録した検索キーワードに従い番組を検索し、検索された番組を自動的に表示する番組表示装置について説明する。
【００３３】
＜構成＞
図１は、実施の形態１に係る番組表示装置の外観斜視図である。
【００３４】
図２は、図１に示した番組表示装置１００の機能的な構成を示すブロック図である。
【００３５】
番組表示装置１００は、取得部１０１と、記憶部１０２と、検索部１０３と、チューナ１０４と、表示部１０５と、表示制御部１０６と、判断部１０７と、電源制御部１０８とを備える。
【００３６】
取得部１０１は、検索キーワード取得する。検索キーワードは、キーワードと、番組のジャンルと、番組名とを含む。
【００３７】
記憶部１０２は、各種情報を記憶する。
【００３８】
検索部１０３は、取得部１０１が取得した検索キーワードに基づいて、電子番組表から番組を検索する。
【００３９】
チューナ１０４は、放送局から放送波を受信する。また、チューナ１０４は、放送局から電子番組表を取得する。
【００４０】
表示部１０５は、画像を表示する。表示部１０５は、たとえば、液晶パネルにより構成される。
【００４１】
表示制御部１０６は、検索部１０３が検索した番組を、当該番組の放送時間に、表示部１０５の画面に表示する。なお、表示制御部１０６が画面に表示する番組は、チューナ１０４が受信する放送波から取得する。
【００４２】
判断部１０７は、番組表示装置１００の前または番組表示装置１００が設置されている室内にユーザがいるか否かを判断する。
【００４３】
電源制御部１０８は、判断部１０７が室内にユーザがいると判断し、かつ、表示制御部１０６による番組の放送時間に番組表示装置１００の電源がオフ状態にある場合に、番組表示装置１００の電源をオン状態に変更する。
【００４４】
＜処理＞
図３は、番組表示装置１００が実行する処理のフローチャートである。番組表示装置１００が実行する処理は、番組表示装置１００の電源がオフ状態であっても実行されるものとする。つまり、番組表示装置１００が待機状態であっても実行されるものとする。
【００４５】
取得部１０１は、検索キーワードを取得する（Ｓ１）。たとえば、取得部１０１は、ユーザが番組表示装置１００のリモコンを操作することにより入力した検索キーワードを受信することで、検索キーワードを取得する。図４は、検索キーワードの一種であるキーワードの入力画面の一例を示す図である。ユーザは、リモコンを操作することにより、たとえば、「料理」、「アウトドア」、「釣り」などのキーワードを入力する。図５は、検索キーワードの一種である番組のジャンルの入力画面の一例を示す図である。ユーザは、リモコンを操作することにより、たとえば、「料理」、「アウトドア」、「釣り」などの番組のジャンルを入力する。図６は、検索キーワードの一種である番組名の入力画面の一例を示す図である。ユーザは、リモコンを操作することにより、たとえば、「３分間でクッキング」、「知ってる？」、「速報ニュース」などの番組名を入力する。取得部１０１は、取得した検索キーワードを記憶部１０２に記憶するようにしても良い。
【００４６】
検索部１０３は、チューナ１０４が取得した電子番組表から取得部１０１が取得した検索キーワードに合致する番組情報を有する番組を検索する（Ｓ２）。電子番組表は、番組ごとに、番組のタイトル、出演者名、番組の内容を説明した番組情報を含む。検索部１０３は、この番組情報の中に検索キーワードが含まれている番組を検索する。
【００４７】
検索部１０３は、検索した番組、つまり視聴予約番組の情報を視聴予約情報として記憶部１０２に書き込む（Ｓ３）。視聴予約情報には、視聴予約番組を再生するのに必要な情報が含まれる。たとえば、視聴予約情報は、視聴予約番組の番組名、放送チャンネル、放送日時の情報を含む。図７は、視聴予約情報の一例を示す図である。たとえば、視聴予約情報には、（番組名、放送チャンネル、放送日時）の情報として（３分間でクッキング、１０、２０１３年２月１２日１０：００〜１０：１０）という情報が含まれている。
【００４８】
電源制御部１０８は、記憶部１０２に記憶されている視聴予約情報を参照し、視聴予約番組の放送開始の５分前であるか否かを判断する（Ｓ４）。なお、５分という時間は一例であり、それ以外の時間であっても良い。
【００４９】
視聴予約番組の放送開始５分前になった時点で（Ｓ４でＹＥＳ）、番組表示装置１００の電源がオン状態であれば（Ｓ５でＹＥＳ）、表示制御部１０６は、視聴予約番組の表示のためにチャンネルを自動的に切り替える旨の注意メッセージを表示部１０５の画面に表示する（Ｓ６）。たとえば、２０１３年２月１２日１０：００の５分前になると、図８に示すような注意メッセージが表示される。
【００５０】
注意メッセージの表示画面において、ユーザがリモコン等を操作してＹＥＳボタン８０１を押した場合には（Ｓ７でＹＥＳ）、表示制御部２０６は、視聴予約番組の放送開始時刻にチャンネルを切り替え、視聴予約番組を表示部１０５の画面に表示する（Ｓ８）。既にチャンネルが視聴予約番組の放送チャンネルに切り替えられている場合には、Ｓ６及びＳ７の処理を省略しても良い。
【００５１】
番組表示装置１００の電源がオフ状態であれば（Ｓ５でＮＯ）、判断部１０７は、番組表示装置１００の前または番組表示装置１００が設置されている室内に覚醒しているユーザがいるか否かを判断する（Ｓ９）。たとえば、監視カメラが番組表示装置１００の前または上記室内に設置されており、判断部１０７は、監視カメラで撮像された画像から上記判断を行っても良い。たとえば、画像中の肌色領域の面積が所定面積以上の場合にユーザがいると判断しても良い。また、当該肌色領域の動き量が所定動き量以上の場合にユーザが覚醒していると判断しても良い。監視カメラのほかに、赤外線人感センサを用いてユーザの有無を判断しても良い。また、ユーザがいると判断された場合には、照度センサを用いて室内の明るさを検出し、明るさが所定明るさ以上の場合にユーザが覚醒していると判断しても良い。
【００５２】
Ｓ９の判断結果が真であれば（Ｓ９でＹＥＳ）、電源制御部１０８は、番組表示装置１００の電源をオンする（Ｓ１０）。その後、視聴予約番組の表示処理（Ｓ８）が行われる。
【００５３】
Ｓ９の判断結果が偽であれば（Ｓ９でＮＯ）、視聴予約番組の放送時間が終了するまでの間、Ｓ９の判断が繰り返し実行される（Ｓ１１でＮＯ）。
【００５４】
＜効果＞
以上説明したように、実施の形態１に係る番組表示装置によると、検索キーワードに基づいて検索された番組が、その放送時間に自動的に画面に表示される。このように、ユーザは番組を選択する必要が無いため、番組選択の煩わしさを解消し、番組の見逃しを防止することができる。
【００５５】
また、ユーザが番組表示装置の前または室内にいる場合にのみ、番組表示装置の電源が自動的にオンされ、番組が表示される。このため、ユーザは番組表示装置の電源をオンする操作を行なう必要が無いため、番組選択の煩わしさを解消し、番組の見逃しを防止することができる。また、ユーザが番組表示装置の前または室内にいない場合には、検索部が検索した番組の放送時間であったとしても、番組表示装置の電源はオンしない。このため、不必要に番組表示装置の電源がオンされること無く、無駄な電力を削減することができる。
【００５６】
また、ユーザが番組表示装置の前または室内にいたとしても、ユーザが睡眠している場合には、検索部が検索した番組の放送時間であったとしても、番組表示装置の電源はオンされない。このため、不必要に番組表示装置の電源がオンされること無く、無駄な電力を削減することができる。
【００５７】
（実施の形態２）
実施の形態１では、ユーザが登録した検索キーワードに従い番組を検索し、検索された番組を自動的に表示する番組表示装置について説明した。実施の形態２では、検索した番組の放送日時が重複している場合に、一の番組を選択して自動的に表示する番組表示装置について説明する。実施の形態１に示した番組表示装置１００と同様の機能を有する構成については、同一の参照符号を付し、適宜説明を省略する。
【００５８】
＜構成＞
実施の形態２に係る番組表示装置の外観は、図１に示した実施の形態１に係る番組表示装置１００の外観と同様である。
【００５９】
図９は、実施の形態２に係る番組表示装置の機能的な構成を示すブロック図である。
【００６０】
番組表示装置２００は、取得部２０１と、記憶部１０２と、検索部１０３と、チューナ１０４と、表示部１０５と、表示制御部２０６と、判断部１０７と、電源制御部１０８と、リスト表示制御部２０２と、受付部２０３とを備える。
【００６１】
取得部２０１は、優先順位が付された検索キーワードを取得する。
【００６２】
リスト表示制御部２０２は、検索部１０３が検索した番組のうち、放送開始時刻が重複する複数の番組がある場合には、当該放送開始時刻よりも前に当該複数の番組のリストを表示部１０５の画面に表示する。
【００６３】
受付部２０３は、ユーザが選択したリスト中の番組の識別情報を受け付ける。
【００６４】
表示制御部２０６は、受付部２０３が受け付けた識別情報が示す、ユーザが選択した番組を、当該番組の放送時間に前記画面に表示する。
【００６５】
＜処理＞
図１０は、番組表示装置２００が実行する処理のフローチャートである。
【００６６】
取得部２０１は、優先順位付けされた検索キーワードを取得する（Ｓ２１）。検索キーワードの受信方法については、実施の形態１のＳ１に示したものと同様である。ただし、検索キーワードの入力欄と優先順位とが予め対応付けられている点が異なる。たとえば、図４に示した検索キーワードの一種であるキーワードの入力画面において、５つのキーワード入力欄に優先順位が対応付けられており、第１キーワードの優先順位が最も高く、第５キーワードの優先順位が最も低いものとする。図４の例では、優先順位の降順に「料理」、「アウトドア」、「釣り」の３つのキーワードが取得される。取得部２０１は、取得した検索キーワードを記憶部１０２に記憶するようにしても良い。
【００６７】
検索部１０３は、図３のＳ２と同様に、Ｓ２１の処理で取得された検索キーワードに基づいて、電子番組表から番組を検索する（Ｓ２）。
【００６８】
検索部１０３は、検索された番組のうち、放送開始時刻が重複する複数の番組が存在するか否かを判断する（Ｓ２２）。放送開始時刻が重複する複数の番組がある場合には（Ｓ２２でＹＥＳ）、検索部１０３は、放送開始時刻が重複する複数の番組に対して、優先順位の降順に番組のリストを作成し、記憶部１０２に書き込む（Ｓ２３）。リストは、優先順位、番組名、放送チャンネル、放送日時の情報を含む。図１１はリストの一例を示す図である。たとえば、リストには、（優先順位、番組名、放送チャンネル、放送日時）の情報として、（１、今日の料理、８、２０１３年２月１５日１３：００〜１３：３０）と、（２、アウトドアスタイル、２、２０１３年２月１５日１３：００〜１４：００）という情報が含まれている。つまり、番組「今日の料理」の方が、番組「アウトドアスタイル」よりも優先順位が高いことが示されている。
【００６９】
Ｓ２３の処理の後、または放送開始時刻が重複する番組がない場合には（Ｓ２２でＮＯ）、検索部１０３は、検索した番組、つまり視聴予約番組の情報を視聴予約情報として記憶部１０２に書き込む（Ｓ２４）。
【００７０】
その後、Ｓ４、Ｓ５、Ｓ９〜Ｓ１１の処理が実行される。
【００７１】
以降の説明では、放送開始時刻が重複する複数の番組が視聴予約番組として検索された場合について説明する。放送開始時刻が重複する番組がない場合は実施の形態１で説明したとおりであるため、その詳細な説明は繰り返さない。
【００７２】
視聴予約番組の放送開始５分前になった時点で（Ｓ４でＹＥＳ）、番組表示装置１００の電源がオン状態であれば（Ｓ５でＹＥＳ）、または、表示制御部２０６が番組表示装置２００の電源をオンした後（Ｓ１０）、リスト表示制御部２０２は、その視聴予約番組の放送開始時刻に放送される番組のリストを表示部１０５の画面に表示する（Ｓ２５）。図１２は、表示部１０５の画面に表示される番組のリストの一例を示す図である。優先順位の降順に番組名が表示されると共に、いずれの番組を選択するかを促すメッセージが表示される。ユーザがリモコン等を操作してボタン１２０１を押下することにより、優先順位が１番目の番組「今日の料理」が選択され、ボタン１２０２を押下することにより、優先順位が２番目の番組「アウトドアスタイル」が選択される。受付部２０３は、ユーザが選択した番組の識別情報を、リモコンから受け付ける。たとえば、「１」または「２」という優先順位を識別情報として受け付ける。
【００７３】
ユーザがいずれかの番組を選択した場合には（Ｓ２６でＹＥＳ）、表示制御部２０６は、受付部２０３が受け付けた識別情報が示す、ユーザが選択した視聴予約番組の放送開始時刻にチャンネルを切り替え、視聴予約番組を表示部１０５の画面に表示する（Ｓ２７）。たとえば、番組「アウトドアスタイル」が選択された場合には、１３：００に２チャンネルにチャンネルが自動的に切り替えられる。
【００７４】
なお、ユーザが放送開始時刻まで番組を選択しなかった場合には（Ｓ２６でＮＯ）、表示制御部２０６は、リストに含まれる番組のうち、優先順位が最も高い番組の放送チャンネルにチャンネルを切り替え、その番組を表示部１０５の画面に表示する（Ｓ２８）。つまり、上述の例では、１３：００に８チャンネルにチャンネルが自動的に切り替えられ、優先順位が最も高い番組「今日の料理」が表示される。なお、優先順位が最も高い番組が複数ある場合には、事前に定められたルールに従い番組が選択され、選択された番組が表示される。たとえば、チャンネル番号が最も小さい番組を選択しても良いし、地上デジタル放送の番組を衛星放送の番組に優先して選択しても良い。
【００７５】
なお、Ｓ２７またはＳ２８の処理において、既にチャンネルが表示される番組の放送チャンネルに切り替えられている場合には、当然ながらチャンネルの切り替えは行われない。
【００７６】
＜効果＞
以上説明したように、実施の形態２に係る番組表示装置によると、検索部が検索した番組の放送開始時刻が重複していた場合には、重複した番組をリストとしてユーザに提示し、ユーザに番組を選択させることができる。
【００７７】
また、検索キーワードの優先順位に従い、放送開始時刻が重複した番組の並べ替えが行われる。このため、番組に優劣をつけることができ、ユーザは、番組を選択しやすくなる。
【００７８】
また、ユーザが番組を選択しなかった場合には、最もユーザの関心が高いであろう番組が自動表示される。
【００７９】
（実施の形態３）
実施の形態１及び２では、ユーザが登録した検索キーワードに従い番組を検索し、検索した番組を自動的に表示する番組表示装置について説明した。実施の形態３では、ユーザのプロフィール情報に基づいて番組を検索し、検索した番組を自動的に表示する番組表示装置について説明する。実施の形態１に示した番組表示装置１００又は実施の形態２に示した番組表示装置２００と同様の機能を有する構成については、同一の参照符号を付し、適宜説明を省略する。
【００８０】
＜構成＞
実施の形態３に係る番組表示装置の外観は、図１に示した実施の形態１に係る番組表示装置１００の外観と同様である。
【００８１】
図１３は、実施の形態３に係る番組表示装置の機能的な構成を示すブロック図である。
【００８２】
番組表示装置３００は、取得部３０１と、記憶部１０２と、検索部３０３と、チューナ１０４と、表示部１０５と、表示制御部２０６と、判断部１０７と、電源制御部１０８と、リスト表示制御部２０２と、受付部２０３とを備える。
【００８３】
取得部３０１は、ユーザの性別及び年齢の情報をプロフィール情報として取得する。なお、本実施の形態では、取得部３０１は、性別及び年齢の両方の情報を取得するものとするが、いずれか一方の情報を取得するものであってもよい。
【００８４】
検索部３０３は、視聴率サーバ４００が提供する番組毎の視聴率を示す視聴率情報から、取得部３０１が取得したプロフィール情報で示される性別又は年齢の視聴者の視聴率が最上位の番組から予め定められた個数の番組を検索する。なお、視聴率サーバ４００は、インターネットを介して番組表示装置３００に接続されている。
【００８５】
＜処理＞
図１４は、番組表示装置３００が実行する処理のフローチャートである。
【００８６】
取得部３０１は、ユーザの性別又は年齢の情報をプロフィール情報として取得する（Ｓ３１）。たとえば、取得部３０１は、ユーザが番組表示装置３００のリモコンを操作することにより入力した性別及び年齢の情報をプロフィール情報として受信することにより取得する。図１５は、プロフィール情報の入力画面の一例を示す図である。ユーザは、リモコンを操作することにより、性別欄１５０１から性別を選択し、年齢の入力欄１５０２に年齢を登録し、ＯＫボタン１５０３を押す。これにより、プロフィール情報が入力できる。取得部３０１は、取得したプロフィール情報を記憶部１０２に記憶するようにしても良い。
【００８７】
検索部３０３は、視聴率サーバ４００が提供する番組毎の視聴率を示す視聴率情報から、取得部３０１が取得したプロフィール情報で示される性別又は年齢の視聴者の視聴率が最上位の番組から予め定められた個数の番組を検索する（Ｓ３２）。たとえば、プロフィール情報で示される性別が男性、年齢が４２歳の場合には、４０代男性の視聴者の視聴率情報から、視聴率が最上位の番組から予め定められた個数の番組が検索される。
【００８８】
番組検索処理（Ｓ３２）以降の処理（Ｓ２２〜Ｓ２８、Ｓ４、Ｓ５、Ｓ９〜Ｓ１１）については、実施の形態２で説明した処理と同様である。なお、放送開始時刻が重複する番組がない場合は実施の形態１で説明したとおりである。このため、それらの詳細な説明は繰り返さない。
【００８９】
＜効果＞
以上説明したように、実施の形態３に係る番組表示装置によると、ユーザの世代でよく見られている番組を自動的に表示することができるため、番組選択の煩わしさを解消し、視聴率の高い番組の見逃しを防止することができる。
【００９０】
また、視聴率に従い、放送開始時刻が重複した番組の並べ替えが行われる。このため、番組に優劣をつけることができ、ユーザは、番組を選択しやすくなる。
【００９１】
（実施の形態３の変形例）
実施の形態３に係る番組表示装置では、一人のユーザのプロフィール情報に基づいて番組を検索し、検索した番組を自動表示する例について説明した。しかし、番組表示装置のユーザは複数人いるのが通常である。このため、本変形例では、番組表示装置で番組を視聴しているユーザを識別することにより、番組を視聴しているユーザのプロフィール情報に合致した番組を視聴予約することができる番組表示装置について説明する。
【００９２】
図１６は、本変形例に係る番組表示装置の機能的な構成を示すブロック図である。
【００９３】
番組表示装置３００Ａは、図１３に示した実施の形態３に係る番組表示装置３００の構成において、識別部３０４を追加した構成である。
【００９４】
識別部３０４は、現在表示されている番組のジャンルに基づいて、当該番組を視聴しているユーザを識別する。たとえば、ユーザのプロフィール情報として、１０代の子供と、３０代の大人の情報が記憶部１０２に記憶されている場合であって、現在表示されている番組のジャンルが子供向け番組であった場合には、識別部３０４は、現在表示されている番組を視聴しているユーザは、１０代の子供であると判断する。
【００９５】
リスト表示制御部２０２は、識別部３０４が識別したユーザ（ここでは、１０代の子供）に対応するリストを優先して表示部１０５の画面に表示する。たとえば、放送開始時刻が重複する視聴予約番組がある場合に、１０代の子供のプロフィール情報に基づいて検索された視聴予約番組の優先順位を最も高くした視聴予約番組のリストを表示しても良い。
【００９６】
なお、識別部３０４は、番組表示装置３００Ａの前または番組表示装置３００Ａが設置されている室内に設置されている監視カメラが撮像した画像に基づいて、番組表示装置３００Ａの前にいるユーザの年齢及び性別を識別しても良い。この場合、電源制御部１０８は、識別部３０４が識別したユーザのプロフィール情報に基づいて検索された番組の放送時間に番組表示装置３００Ａの電源がオフ状態にある場合に、番組表示装置３００Ａの電源をオン状態に変更するようにしても良い。つまり、番組表示装置３００Ａの前にいるユーザ以外のユーザのプロフィール情報に基づいて検索された番組の放送時間には、番組表示装置３００Ａの電源をオンしない。
【００９７】
本変形例によると、たとえば、現在表示されている番組のジャンルが子供向け番組であった場合には、現在、番組表示装置の前にいるユーザは子供であると考えられる。これによると、このような場合に、子供向けのリストが優先的に画面に表示される。このため、ユーザが所望する番組のリストを画面に表示することができる。
【００９８】
また、番組表示装置の前または室内にいるユーザのプロフィール情報に合致した番組の放送時間である場合にのみ、番組表示装置の電源がオンされ、その番組が表示される。このため、不必要に番組表示装置の電源がオンされること無く、無駄な電力を削減することができる。
【００９９】
以上、本発明の実施の形態に係る番組表示装置について説明したが、本発明は、この実施の形態に限定されるものではない。
【０１００】
例えば、実施の形態３では、プロフィール情報に基づいて視聴率上位の番組を検索することとしたが、プロフィール情報に基づいて番組を検索することができるのであれば、番組検索に用いる情報は視聴率情報には限定されない。たとえば、ユーザの番組に対する注目度を示す情報に基づいて、注目度が上位の番組を検索しても良い。
【０１０１】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１０２】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０３】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１０４】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１０５】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１０６】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０７】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１０８】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１０９】
さらに、上記実施の形態及び上記変形例をそれぞれ組み合わせるとしても良い。
【０１１０】
本発明に係る番組表示装置の必須の構成要素は、取得部と、検索部と、表示制御部とである。それ以外の構成要素については、番組表示装置に備えられているのが望ましいが、必ずしも備えられていなくても良い。
【産業上の利用可能性】
【０１１１】
本発明は再生装置として、例えば、テレビ放送を再生または録画するテレビなどに適用できる。
【符号の説明】
【０１１２】
１００、２００、３００、３００Ａ  番組表示装置
１０１、２０１、３０１  取得部
１０２  記憶部
１０３、３０３  検索部
１０４  チューナ
１０５  表示部
１０６、２０６  表示制御部
１０７  判断部
１０８  電源制御部
２０２  リスト表示制御部
２０３  受付部
３０４  識別部
４００  視聴率サーバ
８０１  ＹＥＳボタン
１２０１、１２０２  ボタン
１５０１  性別欄
１５０２  入力欄
１５０３  ＯＫボタン
【図１】
2014212442.tif 000003
【図２】
2014212442.tif 000004
【図３】
2014212442.tif 000005
【図４】
2014212442.tif 000006
【図５】
2014212442.tif 000007
【図６】
2014212442.tif 000008
【図７】
2014212442.tif 000009
【図８】
2014212442.tif 000010
【図９】
2014212442.tif 000011
【図１０】
2014212442.tif 000012
【図１１】
2014212442.tif 000013
【図１２】
2014212442.tif 000014
【図１３】
2014212442.tif 000015
【図１４】
2014212442.tif 000016
【図１５】
2014212442.tif 000017
【図１６】
2014212442.tif 000018